(57)【要約】【課題】複数の溶接電源を同時に使用する場合において、くびれ検出制御の誤動作を防止すること。【解決手段】複数の溶接電源によって共通のワークに各々アークを発生させて溶接し、溶接電源の内の少なくとも２台は、短絡状態からアークが再発生する前兆現象である溶滴のくびれＮｄを溶接電圧検出信号Ｖｄ１を用いて検出し、このくびれを検出すると溶接電流Ｉｗ１を減少させてアークを再発生させる溶接電源のくびれ検出制御方法において、上記の溶接電圧検出信号Ｖｄ１には、合算した溶接電流Ｉｇが通電する共通通電路のインダクタンス値によって発生する電圧値を含んでおり、短絡状態中に前記溶滴の抵抗値が減少したことを判別Ｓｔしたときは、くびれの検出Ｎｄを禁止する。これにより、溶接電源間で溶接電流の急減タイミングを互いに通知することなく、くびれの誤検出を防止することができる。【選択図】  図１
2015000402.tif 000002
【特許請求の範囲】
【請求項１】
複数の溶接電源によって共通のワークに各々アークを発生させて溶接し、
前記溶接電源の内の少なくとも２台は、短絡状態からアークが再発生する前兆現象である溶滴のくびれを溶接電圧検出値を用いて検出し、このくびれを検出すると短絡負荷に通電する溶接電流を減少させてアークを再発生させる、溶接電源のくびれ検出制御方法において、
前記溶接電圧検出値には、合算した溶接電流が通電する共通通電路のインダクタンス値によって発生する電圧値を含んでおり、
前記短絡状態中に前記溶滴の抵抗値が減少したことを判別したときは、前記くびれの検出を禁止する、
ことを特徴とする溶接電源のくびれ検出制御方法。
【請求項２】
前記溶接電流を検出し、
前記溶滴の抵抗値を前記溶接電圧検出値を前記溶接電流検出値で除算して算出する、
ことを特徴とする請求項１記載の溶接電源のくびれ検出制御方法。
【請求項３】
前記溶接電流を検出し、
前記溶滴の抵抗値が減少したことを、前記溶接電流検出値が減少していないときに前記溶接電圧検出値が減少したことによって判別する、
ことを特徴とする請求項１記載の溶接電源のくびれ検出制御方法。
【請求項４】
前記くびれの検出の禁止を、前記アークが再発生するまでの期間行う、
ことを特徴とする請求項１〜３のいずれか１項に記載の溶接電源のくびれ検出制御方法。
【請求項５】
前記くびれの検出の禁止を、所定期間行う、
ことを特徴とする請求項１〜３のいずれか１項に記載の溶接電源のくびれ検出制御方法。
【発明の詳細な説明】
【技術分野】
【０００１】
本発明は、複数の溶接電源によって共通のワークに各々アークを発生させて溶接し、これらの溶接電源の内の少なくとも２台は、短絡状態からアークが再発生する前兆現象である溶滴のくびれを検出し、このくびれを検出すると短絡負荷に通電する溶接電流を減少させてアークを再発生させる溶接電源のくびれ検出制御方法に関するものである。
【背景技術】
【０００２】
特許文献１の発明では、溶接ワイヤとワークとの間でアーク発生状態と短絡状態とを繰り返す消耗電極アーク溶接において、短絡状態からアークが再発生する前兆現象である溶滴のくびれを溶接ワイヤとワークとの間の電圧値又は抵抗値の変化がくびれ検出基準値に達したことによって検出し、このくびれを検出すると短絡負荷に通電する溶接電流を急減させて小電流値の状態でアークが再発生するように出力制御（くびれ検出制御）している。このようにすると、アーク再発生時の電流値を小さくすることができるので、スパッタ発生量を低減することができる。
【０００３】
ところで、複数の溶接個所を有するワークに対して、複数の溶接電源を使用して同時に溶接を行うことがある。以下、このような場合におけるくびれ検出制御について図面を参照して説明する。
【０００４】
図５は、２台の溶接電源を使用して１つのワークの２つの溶接個所を同時に溶接するための溶接装置の構成図である。２台の溶接電源は共にくびれ検出制御機能を内蔵している。以下、同図を参照して各構成物について説明する。
【０００５】
第１溶接電源ＰＳ１は、第１溶接電圧Ｖw1及び第１溶接電流Ｉw1を出力すると共に、第１送給機ＦＤ１に第１送給制御信号Ｆc1を出力する。第１送給機ＦＤ１は、この第１送給制御信号Ｆc1を入力として、第１溶接ワイヤ１１を第１溶接トーチ４１内を通って送給する。第１溶接ワイヤ１１とワーク２との間には第１アーク３１が発生する。第１溶接ワイヤ１１とワーク２との間では、短絡状態とアーク状態とが交互に繰り返されて溶接が行われる。第１溶接トーチ４１は、ロボット（図示は省略）に把持されている。ワーク２は治具５に設置されている。
【０００６】
第１溶接電源ＰＳ１のプラス端子と第１溶接トーチ４１内の第１給電チップ６１とは、ケーブルを介して接続されている。また、第１溶接電源ＰＳ１のマイナス端子と治具５とは、ケーブルを介して接続されている。第１溶接電圧Ｖw1は、第１給電チップ６１とワーク２の表面との間に印加される電圧である。第１給電チップ６１に電圧検出線を接続することは容易であるが、ワーク２の表面に電圧検出線を接続することは難しいために、治具５に接続することになる。このために、第１溶接電圧検出回路ＶＤ１は、第１給電チップ６１と治具５との間の電圧を検出して、第１溶接電圧検出信号Ｖd1を出力する。この第１溶接電圧検出信号Ｖd1は、第１溶接電源ＰＳ１に入力される。この第１溶接電圧検出信号Ｖd1を使用して第１溶接ワイヤ１１の溶滴に形成されるくびれを検出する。
【０００７】
第２溶接電源ＰＳ２は、第２溶接電圧Ｖw2及び第２溶接電流Ｉw2を出力すると共に、第２送給機ＦＤ２に第２送給制御信号Ｆc2を出力する。第２送給機ＦＤ２は、この第２送給制御信号Ｆc2を入力として、第２溶接ワイヤ１２を第２溶接トーチ４２内を通って送給する。第２溶接ワイヤ１２とワーク２との間には第２アーク３２が発生する。第２溶接ワイヤ１２とワーク２との間では、短絡状態とアーク状態とが交互に繰り返されて溶接が行われる。第２溶接トーチ４２は、ロボット（図示は省略）に把持されている。
【０００８】
第２溶接電源ＰＳ２のプラス端子と第２溶接トーチ４２内の第２給電チップ６２とは、ケーブルを介して接続されている。また、第２溶接電源ＰＳ２のマイナス端子と治具５とは、ケーブルを介して接続されている。第２溶接電圧Ｖw2は、第２給電チップ６２とワーク２の表面との間に印加される電圧である。第２給電チップ６２に電圧検出線を接続することは容易であるが、ワーク２の表面に電圧検出線を接続することは難しいために、治具５に接続することになる。このために、第２溶接電圧検出回路ＶＤ２は、第２給電チップ６２と治具５との間の電圧を検出して、第２溶接電圧検出信号Ｖd2を出力する。この第２溶接電圧検出信号Ｖd2は、第２溶接電源ＰＳ２に入力される。この第２溶接電圧検出信号Ｖd2を使用して第２溶接ワイヤ１２の溶滴に形成されるくびれを検出する。
【０００９】
第１溶接電流Ｉw1は、第１溶接電源ＰＳ１のプラス端子→第１給電チップ６１→第１溶接ワイヤ１１→ワーク２→治具５→第１溶接電源ＰＳ１のマイナス端子経路で通電する。第２溶接電流Ｉw2は、第２溶接電源ＰＳ２のプラス端子→第２給電チップ６２→第２溶接ワイヤ１２→ワーク２→治具５→第２溶接電源ＰＳ２のマイナス端子経路で通電する。したがって、ワーク２及び治具５中を第１溶接電流Ｉw1及び第２溶接電流Ｉw2が通電する。これら第１溶接電流Ｉw1と第２溶接電流Ｉw2を合算した電流を、以下合算溶接電流Ｉｇと呼ぶことにする。そして、この合算溶接電流Ｉｇが通電するワーク２及び治具５を共通通電路と呼ぶことにする。この共通通電路は、抵抗値及びインダクタンス値Ｌ（μＨ）を有している。一般的に抵抗値は小さな値であるので、無視することができる。このために、共通通電路は、インダクタンス値Ｌのみを有していることになる。
【００１０】
上記の第１溶接電圧検出信号Ｖd1及び第２溶接電圧検出信号Ｖd2は、下式のように表すことができる。
Ｖd1＝Ｖw1＋Ｌ・ｄＩｇ／ｄｔ  …（１１）式
Ｖd2＝Ｖw2＋Ｌ・ｄＩｇ／ｄｔ  …（１２）式
したがって、第１溶接電圧検出信号Ｖd1は、第１溶接電圧Ｖw1に合算溶接電流Ｉｇの変化によって共通通電路のインダクタンス値Ｌに発生する電圧が重畳した値となる。第２溶接電圧検出信号Ｖd2についても同様である。
【００１１】
図６は、図５の溶接装置において、くびれ検出制御が正常に動作したときの波形図である。同図（Ａ）は第１溶接電流Ｉw1の波形を示し、同図（Ｂ）は第１溶接電圧検出信号Ｖd1の波形を示し、同図（Ｃ）は第２溶接電流Ｉw2の波形を示し、同図（Ｄ）は第２溶接電圧検出信号Ｖd2の波形を示す。同図は、第１溶接ワイヤ１１とワーク２とが短絡状態にある時刻ｔ１〜ｔ３の期間と、第２溶接ワイヤ１２とワーク２とが短絡状態にある時刻ｔ５〜ｔ６の期間とが重なっていない場合である。このような状態であるために、理由は後述するが、くびれ検出制御は誤動作せずに正常に動作している。以下、同図を参照して説明する。
【００１２】
第１溶接ワイヤ１１とワーク２とが短絡状態にある時刻ｔ１〜ｔ３の期間中は、第２溶接ワイヤ１２とワーク２との間はアーク状態にある。このために、同図（Ｃ）に示すように、第２溶接電流Ｉw2は、アーク期間中であるので短絡期間中よりも電流変化の速度は緩やかである。
【００１３】
（１）時刻ｔ１の第１溶接ワイヤ１１の短絡発生から時刻ｔ２のくびれ検出時点までの動作
時刻ｔ１において第１溶接ワイヤ１１がワーク２と接触すると短絡状態になり、同図（Ｂ）に示すように、第１溶接電圧検出信号Ｖd1は数Ｖ程度の短絡電圧値に急減する。同図（Ａ）に示すように、第１溶接電流Ｉw1は、時刻ｔ１においてアーク期間の溶接電流から減少し、時刻ｔ１〜ｔ１１の予め定めた初期期間中は予め定めた初期電流値となり、時刻ｔ１１〜ｔ１２の期間中は予め定めた短絡時傾斜で上昇し、時刻ｔ１２〜ｔ２の期間中は予め定めたピーク値となる。同図（Ｂ）に示すように、第１溶接電圧検出信号Ｖd1は、第１溶接電流Ｉw1がピーク値となる時刻ｔ１２あたりから上昇する。これは、溶滴にくびれが次第に形成されるためである。時刻ｔ１２からの期間がくびれを検出する期間となる。このくびれを検出する期間においては、同図（Ａ）に示すように、第１溶接電流Ｉw1はピーク値で略一定値である。かつ、同図（Ｃ）に示すように、第２溶接電流Ｉw2はアーク期間中であるので急速な変化はない。この結果、上述した（１１）式において、Ｌ・ｄＩｇ／ｄｔは小さな値となり、無視することができる。したがって、、Ｖd1＝Ｖw1となるので、溶滴のくびれを誤動作することなく、正確に検出することができる。上記の初期期間は１ms程度に設定され、上記の初期電流値は５０Ａ程度に設定され、上記の短絡時傾斜は１００〜３００Ａ／ms程度に設定され、上記のピーク値は３００〜４００Ａ程度に設定される。
【００１４】
（２）時刻ｔ２のくびれ検出時点から時刻ｔ３のアーク再発生時点までの動作
時刻ｔ２において、同図（Ｂ）に示すように、第１溶接電圧検出信号Ｖd1が急上昇して、その上昇率（微分値）が予め定めたくびれ検出基準値Ｖtnと等しくなったことによってくびれを検出する。くびれを検出すると、同図（Ａ）に示すように、第１溶接電流Ｉw1はピーク値から予め定めた低レベル電流値Ｉｌへと急減し、時刻ｔ３のアーク再発生まではその値を維持する。この電流急減速度は、３０００Ａ／ms程度と非常に早い値である。同図（Ｂ）に示すように、第１溶接電圧検出信号Ｖd1は、第１溶接電流Ｉw1が低レベル電流値Ｉｌになるので時刻ｔ２から一旦減少した後に急上昇する。上記の低レベル電流値Ｉｌは３０Ａ程度に設定される。
【００１５】
（３）時刻ｔ３のアーク再発生時点から時刻ｔ４の遅延期間Ｔｄの終了時点までの動作
時刻ｔ３において第１アーク３１が再発生すると、同図（Ｂ）に示すように、第１溶接電圧検出信号Ｖd1の値は短絡／アーク判別値Ｖta以上となる。同図（Ａ）に示すように、第１溶接電流Ｉw1は、時刻ｔ３から予め定めたアーク時傾斜で上昇し、予め定めた高レベル電流値に達するとその値を時刻ｔ４まで維持する。同図（Ｂ）に示すように、第１溶接電圧検出信号Ｖd1は、時刻ｔ３〜ｔ４の予め定めた遅延期間Ｔｄ中は高レベル電圧値の状態にある。この遅延期間Ｔｄは２ms程度に設定される。
【００１６】
（４）時刻ｔ４の遅延期間Ｔｄ終了時点から時刻ｔ５の次の短絡発生までのアーク期間の動作
時刻ｔ４において、同図（Ａ）に示すように、第１溶接電流Ｉw1は高レベル電流値から次第に減少する。同様に、同図（Ｂ）に示すように、第１溶接電圧検出信号Ｖd1は高レベル電圧値から次第に減少する。
【００１７】
（５）時刻ｔ５の第２溶接ワイヤ１２の短絡発生から時刻ｔ６のアーク再発生までの動作
同図（Ｃ）に示す第２溶接電流Ｉw2及び同図（Ｄ）に示す第２溶接電圧検出信号Ｖd2の波形は、上記（１）〜（２）の波形と同様であるので、説明を省略する。
【００１８】
上述したように、互いの短絡期間が重なっていない場合には、共通通電路のインダクタンス値Ｌによって発生する電圧値が小さいために無視することができるので、くびれを正確に検出することができる。
【００１９】
図７は、図５の溶接装置において、くびれ検出制御が誤動作したときの波形図である。同図（Ａ）は第１溶接電流Ｉw1の波形を示し、同図（Ｂ）は第１溶接電圧検出信号Ｖd1の波形を示し、同図（Ｃ）は第２溶接電流Ｉw2の波形を示し、同図（Ｄ）は第２溶接電圧検出信号Ｖd2の波形を示す。同図は、第１溶接ワイヤ１１とワーク２とが短絡状態にある時刻ｔ１〜ｔ３の期間と、第２溶接ワイヤ１２とワーク２とが短絡状態にある時刻ｔ０〜ｔ２２の期間とが一部重なっている場合である。このような状態であるために、理由は後述するが、くびれ検出制御が誤動作している。同図は、上述した図６と対応しており、同一の動作については説明は繰り返さない。以下、同図を参照して説明する。
【００２０】
第１溶接ワイヤ１１とワーク２とが短絡状態にある時刻ｔ１〜ｔ３の期間中は、第２溶接ワイヤ１２とワーク２との間も短絡状態にある。このために、同図（Ｃ）に示すように、第２溶接電流Ｉw2は急激な変化をしている。
【００２１】
（１）時刻ｔ０の第２溶接ワイヤ１２の短絡発生から時刻ｔ１３の第２溶接ワイヤ１２のくびれ検出時点までの動作
時刻ｔ０において第２溶接ワイヤ１２がワーク２と接触すると短絡状態になり、同図（Ｄ）に示すように、第２溶接電圧検出信号Ｖd2は数Ｖ程度の短絡電圧値に急減する。同図（Ｃ）に示すように、第２溶接電流Ｉw2は、時刻ｔ０においてアーク期間の溶接電流から減少し、初期期間中は初期電流値となり、短絡時傾斜で上昇し、その後はピーク値となる。同図（Ｄ）に示すように、第２溶接電圧検出信号Ｖd2は、その上昇率が時刻ｔ１３においてくびれ検出基準値に達する。これにより、くびれを検出する。くびれを検出すると、同図（Ｃ）に示すように、第２溶接電流Ｉw2はピーク値から低レベル電流値へと急減する。
【００２２】
他方、時刻ｔ１において第１溶接ワイヤ１１がワーク２と接触すると短絡状態になり、同図（Ｂ）に示すように、第１溶接電圧検出信号Ｖd1は数Ｖ程度の短絡電圧値に急減する。同図（Ａ）に示すように、第１溶接電流Ｉw1は、時刻ｔ１においてアーク期間の溶接電流から減少し、時刻ｔ１〜ｔ１１の初期期間中は初期電流値となり、時刻ｔ１１〜ｔ１２の期間中は短絡時傾斜で上昇し、時刻ｔ１２からの期間中はピーク値となる。同図（Ｂ）に示すように、第１溶接電圧検出信号Ｖd1は、第１溶接電流Ｉw1がピーク値となる時刻ｔ１２あたりから上昇する。これは、溶滴にくびれが次第に形成されるためである。時刻ｔ１２からの期間がくびれを検出する期間となる。このくびれを検出する期間においては、同図（Ａ）に示すように、第１溶接電流Ｉw1はピーク値で略一定値である。しかし、同図（Ｃ）に示すように、第２溶接電流Ｉw2は上述したように時刻ｔ１３においてくびれが検出されたために電流は急減している。この結果、上述した（１１）式において、Ｌ・ｄＩｇ／ｄｔ＝ｄＩw1／ｄｔ＋ｄＩw2／ｄｔについては、ｄＩw1／ｄｔは小さな値であり、ｄＩw2／ｄｔは負の大きな値となる。このために、同図（Ｂ）に示すように、第１溶接電圧検出信号Ｖd1は、くびれの形成に伴って時刻ｔ１２から次第に上昇し、この上昇率がくびれ検出基準値Ｖtnに達する前の時刻ｔ１３において第２溶接電流Ｉw2の急減に伴い逆に減少する。そして、第２溶接電流Ｉw2の急減が終了すると、ｄＩｇ／ｄｔの値は大きな負の値から略０に戻るので、第１溶接電圧検出信号Ｖd1は再び急上昇する。
【００２３】
（２）時刻ｔ１３のくびれの誤検出時点から時刻ｔ２３の電流再上昇時点までの動作
時刻ｔ１３において、同図（Ｂ）に示すように、第１溶接電圧検出信号Ｖd1は減少し、その後に急上昇する。この急上昇時の上昇率が、時刻ｔ２においてくびれ検出基準値Ｖtnに達することになる。しかし、これは第１溶接ワイヤ１１の溶滴のくびれを検出したためではなく、上述したように、第２溶接電流Ｉw2の急減が終了したためである。したがって、この状態は、くびれを誤検出したことになる。時刻ｔ２において第１溶接電圧検出信号Ｖd1の上昇率がくびれ検出基準値Ｖtnに達するので、同図（Ａ）に示すように、第１溶接電流Ｉw1は急減し、時刻ｔ２１において低レベル電流値Ｉｌになり、その値を時刻ｔ２３まで維持する。
【００２４】
（３）時刻ｔ２２の第２アーク３２の発生時点から時刻ｔ３のアーク再発生時点までの動作
時刻ｔ２３において、時刻ｔ２からの経過時間が第１アーク３１が再発生する前に予め定めた基準時間に達すると、同図（Ａ）に示すように、第１溶接電流Ｉw1はピーク値よりも大きな予め定めた短絡強制解除電流値まで再び上昇し、その値の状態を時刻ｔ３に第１アーク３１が再発生するまで維持する。このように電流を再上昇させるのは、このままの状態で放置しておくと第１アーク３１は再発生せずに溶接不可状態に陥るおそれがあるためである。第１アーク３１が再発生しない原因は、くびれを適正に検出して第１溶接電流Ｉw1を減少させたのではなく、くびれの誤検出に基づいて減少させたためである。この状態では短絡状態を強制的に解除して第１アーク３１を発生させる必要があるので、ピーク値よりも大きな値の短絡強制解除電流値を通電している。この短絡強制解除電流値は、６００Ａ程度に設定される。また、上記の基準時間は、１ms程度に設定される。
【００２５】
他方、時刻ｔ２３よりも前の時刻ｔ２２において、第２アーク３２が発生するので、同図（Ｄ）に示すように、第２溶接電圧検出信号Ｖd2はアーク電圧値に上昇する。同図（Ｃ）に示すように、第２溶接電流Ｉw2は、時刻ｔ２２の低レベル電流値から高レベル電流値までアーク時傾斜で上昇する。
【００２６】
（４）時刻ｔ３のアーク再発生時点から時刻ｔ４の遅延期間Ｔｄの終了時点までの動作
時刻ｔ３において第１アーク３１が再発生すると、同図（Ｂ）に示すように、第１溶接電圧検出信号Ｖd1の値は短絡／アーク判別値Ｖta以上となる。同図（Ａ）に示すように、第１溶接電流Ｉw1は、時刻ｔ３の短絡強制解除電流値からアーク時傾斜で減少し、高レベル電流値に達するとその値を時刻ｔ４まで維持する。同図（Ｂ）に示すように、第１溶接電圧検出信号Ｖd1は、時刻ｔ３〜ｔ４の遅延期間Ｔｄ中は高レベル電圧値の状態にある。時刻ｔ３において、第１アーク３１が再発生したときの電流値は短絡強制解除電流値と大きな値であるので、スパッタが多く発生することになる。
【００２７】
（５）時刻ｔ４の遅延期間Ｔｄ終了時点から時刻ｔ５の次の短絡発生までのアーク期間の動作
時刻ｔ４において、同図（Ａ）に示すように、第１溶接電流Ｉw1は高レベル電流値から次第に減少する。同様に、同図（Ｂ）に示すように、第１溶接電圧検出信号Ｖd1は高レベル電圧値から次第に減少する。
【００２８】
上述したように、互いの短絡期間が重なっている場合には、共通通電路のインダクタンス値Ｌによって発生する電圧値が大きくなるので、くびれを誤検出する可能性が高まる。同図では、第２溶接電流Ｉw2がくびれの検出に伴って急減したときに生じる第１溶接ワイヤ１１のくびれの誤検出について説明した。これは、くびれの検出に伴う電流の急減速度が、他の電流変化時の１０倍以上早いために、くびれの誤検出の最も大きな要因になるからである。
【００２９】
特許文献２の発明では、第２溶接電源ＰＳ２がくびれを検出して第２溶接電流Ｉw2が変化しているときはこの情報を送信することによって、第１溶接電源ＰＳ１のくびれの検出を禁止するものである。これにより、くびれの誤検出を防止している。
【先行技術文献】
【特許文献】
【００３０】
【特許文献１】特開２００６−２８１２１９号公報
【特許文献２】特許第４８１５９６６号公報
【発明の概要】
【発明が解決しようとする課題】
【００３１】
上述した特許文献２の発明では、第２溶接電源ＰＳ２のくびれ検出制御に伴う第２溶接電流Ｉw2の急減するタイミングを第１溶接電源ＰＳ１に通知することによって、第１溶接電源ＰＳ１のくびれの検出を禁止している。これにより、くびれの誤検出を防止している。しかし、この方法では、互いにくびれ検出に伴う溶接電流の急減タイミングを通知する必要があり、そのための配線が煩雑となり、生産準備に時間がかかるという問題がある。同時に使用する溶接電源の数が３台以上になると、この問題はさらに大きくなる。
【００３２】
そこで、本発明では、複数の溶接電源によって共通のワークに各々アークを発生させて溶接し、これらの溶接電源の内の少なくとも２台はくびれ検出制御機能を有しており、溶接電源によるくびれ検出制御に伴う溶接電流の急減タイミングを互いに通知しなくても、くびれ検出が誤動作することなく正常に動作することができる溶接電源のくびれ検出制御方法を提供することを目的とする。
【課題を解決するための手段】
【００３３】
上述した課題を解決するために、請求項１の発明は、
複数の溶接電源によって共通のワークに各々アークを発生させて溶接し、
前記溶接電源の内の少なくとも２台は、短絡状態からアークが再発生する前兆現象である溶滴のくびれを溶接電圧検出値を用いて検出し、このくびれを検出すると短絡負荷に通電する溶接電流を減少させてアークを再発生させる、溶接電源のくびれ検出制御方法において、
前記溶接電圧検出値には、合算した溶接電流が通電する共通通電路のインダクタンス値によって発生する電圧値を含んでおり、
前記短絡状態中に前記溶滴の抵抗値が減少したことを判別したときは、前記くびれの検出を禁止する、
ことを特徴とする溶接電源のくびれ検出制御方法である。
【００３４】
請求項２の発明は、前記溶接電流を検出し、
前記溶滴の抵抗値を前記溶接電圧検出値を前記溶接電流検出値で除算して算出する、
ことを特徴とする請求項１記載の溶接電源のくびれ検出制御方法である。
【００３５】
請求項３の発明は、前記溶接電流を検出し、
前記溶滴の抵抗値が減少したことを、前記溶接電流検出値が減少していないときに前記溶接電圧検出値が減少したことによって判別する、
ことを特徴とする請求項１記載の溶接電源のくびれ検出制御方法である。
【００３６】
請求項４の発明は、前記くびれの検出の禁止を、前記アークが再発生するまでの期間行う、
ことを特徴とする請求項１〜３のいずれか１項に記載の溶接電源のくびれ検出制御方法である。
【００３７】
請求項５の発明は、前記くびれの検出の禁止を、所定期間行う、
ことを特徴とする請求項１〜３のいずれか１項に記載の溶接電源のくびれ検出制御方法である。
【発明の効果】
【００３８】
本発明によれば、短絡状態中に溶滴の抵抗値が減少したことを判別したときは、くびれの検出を禁止する。これにより、溶滴の抵抗値の減少を判別することによって、他の溶接電源からくびれ検出に伴う溶接電流の急減タイミングを通知することなくタイミングを判別することができるので、くびれの誤検出を防止することができる。このために、本発明では、複数の溶接電源によって共通のワークに各々アークを発生させて溶接し、これらの溶接電源の内の少なくとも２台はくびれ検出制御機能を有しており、溶接電源によるくびれ検出制御に伴う溶接電流の急減タイミングを互いに通知しなくても、くびれ検出が誤動作することなく正常に動作することができる溶接電源のくびれ検出制御方法を提供することができる。
【図面の簡単な説明】
【００３９】
【図１】本発明の実施の形態１に係る溶接装置を構成する第１溶接電源ＰＳ１の詳細ブロック図である。
【図２】図１の第１溶接電源ＰＳ１における各信号のタイミングチャートである。
【図３】本発明の実施の形態２に係る溶接装置を構成する第１溶接電源ＰＳ１の詳細ブロック図である。
【図４】図３の第１溶接電源ＰＳ１における各信号のタイミングチャートである。
【図５】従来技術において、２台の溶接電源を使用して１つのワークの２つの溶接個所を同時に溶接するための溶接装置の構成図である。
【図６】図５の溶接装置において、くびれ検出制御が正常に動作したときの波形図である。
【図７】図５の溶接装置において、くびれ検出制御が誤動作したときの波形図である。
【発明を実施するための形態】
【００４０】
以下、図面を参照して本発明の実施の形態について説明する。
【００４１】
［実施の形態１］
本発明の実施の形態１に係る２台の溶接電源を使用して１つのワークの２つの溶接個所を同時に溶接するための溶接装置の構成図は、上述した図５と同一である。但し、溶接電源の内部回路は異なっているので、図１で後述する。図５に示すように、第１溶接電源ＰＳ１と第２溶接電源ＰＳ２との間では、くびれ検出に伴う溶接電流の急減タイミングを互いに通知することは行っていない。
【００４２】
図１は、本発明の実施の形態１に係る溶接装置を構成する第１溶接電源ＰＳ１の詳細ブロック図である。以下、同図を参照して各ブロックについて説明する。
【００４３】
電源主回路ＰＭは、３相２００Ｖ等の商用電源（図示は省略）を入力として、後述する誤差増幅信号Ｅａに従ってインバータ制御等の出力制御を行い、第１溶接電圧Ｖw1及び第１溶接電流Ｉw1を出力する。この電源主回路ＰＭは、図示は省略するが、商用電源を整流する１次整流器、整流された直流を平滑する平滑コンデンサ、平滑された直流を高周波交流に変換するインバータ回路、高周波交流を溶接に適した電圧値に降圧する高周波変圧器、降圧された高周波交流を直流に整流する２次整流器、整流された直流を平滑するリアクトル、誤差増幅信号Ｅａを入力としてパルス幅変調制御を行う変調回路、パルス幅変調制御信号を入力としてインバータ回路のスイッチング素子を駆動するインバータ駆動回路を備えている。
【００４４】
減流抵抗器Ｒは、上記の電源主回路ＰＭと第１溶接トーチ４１との間に挿入される。この減流抵抗器Ｒの値は、短絡負荷（０．０１〜０．０３Ω程度）の１０倍以上大きな値（０．５〜３Ω程度）に設定される。このために、くびれ検出制御によって減流抵抗器Ｒが通電路に挿入されると、溶接電源内の直流リアクトル及び外部ケーブルのリアクトルに蓄積されたエネルギーが急放電される。トランジスタＴＲは、減流抵抗器Ｒと並列に接続されて、後述する駆動信号Ｄｒに従ってオン又はオフ制御される。
【００４５】
第１溶接ワイヤ１１は、第１送給機ＦＤ１によって第１溶接トーチ４１内を送給されて、ワーク２との間に第１アーク３１が発生する。ワーク２は、治具５上に設置されている。第１溶接トーチ４１内の第１給電チップ（図示は省略）とワーク２の表面との間には第１溶接電圧Ｖw1が印加し、第１溶接電流Ｉw1が通電する。そして、ワーク２及び治具５等の共通通電路を合算溶接電流Ｉｇが通電する。
【００４６】
第１溶接電流検出回路ＩＤ１は、上記の第１溶接電流Ｉw1を検出して、第１溶接電流検出信号Ｉd1を出力する。図５で上述したように、外部に設けられた第１溶接電圧検出回路ＶＤ１は、第１溶接トーチ４１内の第１給電チップと（図示は省略）治具５との間の電圧を検出して、第１溶接電圧検出信号Ｖd1を出力する。この第１溶接電圧検出回路ＶＤ１を溶接電源の内部に設けるようにしても良い。
【００４７】
短絡判別回路ＳＤは、上記の第１溶接電圧検出信号Ｖd1を入力として、その値が予め定めた短絡／アーク判別値Ｖta未満であるときは短絡状態にあると判別してＨｉｇｈレベルとなり、以上のときはアーク発生状態にあると判別してＬｏｗレベルになる短絡判別信号Ｓｄを出力する。
【００４８】
くびれ検出禁止回路ＳＴは、上記の第１溶接電流検出信号Ｉd1、上記の第１溶接電圧検出信号Ｖd1及び上記の短絡判別信号Ｓｄを入力として、下記の１）又は２）の処理によって溶滴の抵抗値が減少したことを判別して、くびれ検出禁止信号Ｓｔを出力する。
１）  短絡判別信号ＳｄがＨｉｇｈレベル（短絡）である期間中に、第１溶接電圧検出信号Ｖd1を第１溶接電流検出信号Ｉd1で除算して溶滴の抵抗値を算出する。算出された抵抗値の微分を行い、この抵抗値の微分値が予め定めた負の値の減少基準値未満に達したときはくびれ検出禁止信号ＳｔをＨｉｇｈレベルにセットし、短絡判別信号ＳｄがＬｏｗレベル（アーク）になるとＬｏｗレベルにリセットする。
２）  短絡判別信号ＳｄがＨｉｇｈレベル（短絡）である期間中に、第１溶接電流検出信号Ｉd1が減少していないときに、第１溶接電圧検出信号Ｖd1の微分値が予め定めた負の値の減少基準値未満に達したときはくびれ検出禁止信号ＳｔをＨｉｇｈレベルにセットし、短絡判別信号ＳｄがＬｏｗレベル（アーク）になるとＬｏｗレベルにリセットする。
【００４９】
くびれ検出基準値設定回路ＶＴＮは、予め定めたくびれ検出基準値信号Ｖtnを出力する。溶接法、送給速度、第１溶接ワイヤ１１の材質、直径等の溶接条件に応じて、このくびれ検出基準値信号Ｖtnの値は適正値に設定される。
【００５０】
くびれ検出回路ＮＤは、このくびれ検出基準値信号Ｖtn、上記の第１溶接電圧検出信号Ｖd1、上記の第１溶接電流検出信号Ｉd1、上記の短絡判別信号Ｓｄ及び上記のくびれ検出禁止信号Ｓｔを入力として、短絡判別信号ＳｄがＨｉｇｈレベル（短絡）であり、かつ、くびれ検出禁止信号ＳｔがＬｏｗレベル（許可）である期間中の第１溶接電圧検出信号Ｖd1の微分値がくびれ検出基準値信号Ｖtnの値に達した時点でくびれが形成されたと判別してＨｉｇｈレベルにセットされ、短絡判別信号ＳｄがＬｏｗレベル（アーク）になるとＬｏｗレベルにリセットされるくびれ検出信号Ｎｄを出力する。したがって、くびれ検出禁止信号ＳｔがＨｉｇｈレベル（禁止）である期間中は、くびれの検出が禁止される。くびれ検出禁止信号ＳｔがＨｉｇｈレベル（禁止）となるのは、くびれを検出しようとしているときに、第２溶接電源ＰＳ２がくびれを検出して第２溶接電流Ｉw2を急減させた場合である。また、第１溶接電圧検出信号Ｖd1の値を第１溶接電流検出信号Ｉd1の値で除算して溶滴の抵抗値を算出し、この抵抗値の微分値がそれに対応するくびれ検出基準値信号Ｖtnの値に達した時点でくびれ検出信号ＮｄをＨｉｇｈレベルに変化させるようにしても良い。
【００５１】
低レベル電流設定回路ＩＬＲは、予め定めた低レベル電流設定信号Ｉlrを出力する。電流比較回路ＣＭは、この低レベル電流設定信号Ｉlr及び上記の第１溶接電流検出信号Ｉd1を入力として、Ｉd1＜ＩlrのときはＨｉｇｈレベルになり、Ｉd1≧ＩlrのときはＬｏｗレベルになる電流比較信号Ｃｍを出力する。駆動回路ＤＲは、この電流比較信号Ｃｍ及び上記のくびれ検出信号Ｎｄを入力として、くびれ検出信号ＮｄがＨｉｇｈレベルに変化するとＬｏｗレベルに変化し、その後に電流比較信号ＣｍがＨｉｇｈレベルに変化するとＨｉｇｈレベルに変化する駆動信号Ｄｒを上記のトランジスタＴＲのベース端子に出力する。したがって、この駆動信号Ｄｒはくびれが検出されるとＬｏｗレベルになり、トランジスタＴＲがオフ状態になり通電路に減流抵抗器Ｒが挿入されるので、短絡負荷を通電する第１溶接電流Ｉw1は急減する。そして、急減した第１溶接電流Ｉw1の値が低レベル電流設定信号Ｉlrの値まで減少すると、駆動信号ＤｒはＨｉｇｈレベルになり、トランジスタＴＲがオン状態になるので、減流抵抗器Ｒは短絡されて通常の状態に戻る。
【００５２】
電流制御設定回路ＩＣＲは、上記の短絡判別信号Ｓｄ、上記の低レベル電流設定信号Ｉlr及び上記のくびれ検出信号Ｎｄを入力として、以下の処理を行い、電流制御設定信号Ｉcrを出力する。
１）短絡判別信号ＳｄがＨｉｇｈレベル（短絡）に変化した時点から予め定めた初期期間中は、予め定めた初期電流設定値を電流制御設定信号Ｉcrとして出力する。
２）その後は、電流制御設定信号Ｉcrの値を、上記の初期電流設定値から予め定めた短絡時傾斜で予め定めたピーク設定値まで上昇させ、その値を維持する。
３）くびれ検出信号ＮｄがＨｉｇｈレベル（くびれ検出）に変化すると、電流制御設定信号Ｉcrの値を低レベル電流設定信号Ｉlrの値に切り換えて維持する。
４）短絡判別信号ＳｄがＬｏｗレベル（アーク）に変化すると、電流制御設定信号Ｉcrを、予め定めたアーク時傾斜で予め定めた高レベル電流設定値まで上昇させ、その値を維持する。
【００５３】
オフディレイ回路ＴＤＳは、上記の短絡判別信号Ｓｄを入力として、この信号がＨｉｇｈレベルからＬｏｗレベルに変化する時点を予め定めた遅延時間だけオフディレイさせて遅延信号Ｔdsを出力する。したがって、この遅延信号Ｔdsは、短絡期間になるとＨｉｇｈレベルとなり、アークが再発生してから遅延時間だけオフディレイしてＬｏｗレベルになる信号である。電圧設定回路ＶＲは、アーク期間中の溶接電圧を設定するための予め定めた電圧設定信号Ｖｒを出力する。電流誤差増幅回路ＥＩは、上記の電流制御設定信号Ｉcr（＋）と上記の第１溶接電流検出信号Ｉd1（−）との誤差を増幅して、電流誤差増幅信号Ｅｉを出力する。電圧誤差増幅回路ＥＶは、上記の電圧設定信号Ｖｒ（＋）と上記の第１溶接電圧検出信号Ｖd1（−）との誤差を増幅して、電圧誤差増幅信号Ｅｖを出力する。制御切換回路ＳＷは、上記の電流誤差増幅信号Ｅｉ、上記の電圧誤差増幅信号Ｅｖ及び上記の遅延信号Ｔdsを入力として、遅延信号ＴdsがＨｉｇｈレベル（短絡開始からアークが再発生して遅延時間が経過するまでの期間）のときは電流誤差増幅信号Ｅｉを誤差増幅信号Ｅａとして出力し、Ｌｏｗレベル（アーク）のときは電圧誤差増幅信号Ｅｖを誤差増幅信号Ｅａとして出力する。この回路により、短絡期間＋遅延期間中は定電流制御となり、それ以外のアーク期間中は定電圧制御となる。
【００５４】
送給速度設定回路ＦＲは、予め定めた送給速度設定信号Ｆｒを出力する。第１送給制御回路ＦＣ１は、この送給速度設定信号Ｆｒを入力として、この設定値に相当する送給速度で第１溶接ワイヤ１１を送給するための第１送給制御信号Ｆc1を上記の第１送給機ＦＤ１に出力する。
【００５５】
図２は、図１の第１溶接電源ＰＳ１における各信号のタイミングチャートである。同図（Ａ）は第１溶接電流Ｉw1の時間変化を示し、同図（Ｂ）は第１溶接電圧検出信号Ｖd1の時間変化を示し、同図（Ｃ）はくびれ検出信号Ｎｄの時間変化を示し、同図（Ｄ）は駆動信号Ｄｒの時間変化を示し、同図（Ｅ）は遅延信号Ｔdsの時間変化を示し、同図（Ｆ）は電流制御設定信号Ｉcrの時間変化を示し、同図（Ｇ）はくびれ検出禁止信号Ｓｔの時間変化を示し、同図（Ｈ）は第２溶接電流Ｉw2の時間変化を示す。同図は上述した図７と対応しており、第１溶接ワイヤ１１の短絡期間と第２溶接ワイヤ１２の短絡期間とが重なっている場合である。同図（Ｈ）に示す第２溶接電流Ｉw2の波形は、図７（Ｃ）に示す波形と同一である。すなわち、第１溶接ワイヤ１１が短絡状態にあり、くびれを検出しようとする期間において、第２溶接電流Ｉw2が急減した場合である。以下、同図を参照して説明する。
【００５６】
（１）時刻ｔ１の第１溶接ワイヤ１１の短絡発生時点から時刻ｔ３のアーク再発生時点までの動作
時刻ｔ１において第１溶接ワイヤ１１がワーク２と接触すると短絡状態になり、同図（Ｂ）に示すように、第１溶接電圧検出信号Ｖd1は数Ｖ程度の短絡電圧値に急減する。この第１溶接電圧検出信号Ｖd1が短絡／アーク判別値Ｖta未満になったことを判別して、同図（Ｅ）に示すように、遅延信号ＴdsはＬｏｗレベルからＨｉｇｈレベルに変化する。これに応動して、同図（Ｆ）に示すように、電流制御設定信号Ｉcrは時刻ｔ１において予め定めた高レベル電流設定値から小さな値である予め定めた初期電流設定値に変化する。時刻ｔ１〜ｔ１１の予め定めた初期期間中は上記の初期電流設定値となり、時刻ｔ１１〜ｔ１２の期間中は予め定めた短絡時傾斜で上昇し、時刻ｔ１２〜ｔ３の期間中は予め定めたピーク設定値となる。短絡期間中は上述したように定電流制御されているので第１溶接電流Ｉw1は電流制御設定信号Ｉcrに相当する値に制御される。このために、同図（Ａ）に示すように、第１溶接電流Ｉw1は、時刻ｔ１においてアーク期間の溶接電流から急減し、時刻ｔ１〜ｔ１１の初期期間中は初期電流値となり、時刻ｔ１１〜ｔ１２の期間中は短絡時傾斜で上昇し、時刻ｔ１２〜ｔ３の期間中はピーク値となる。同図（Ｃ）に示すように、くびれ検出信号Ｎｄは、後述するように、全期間中Ｌｏｗレベルのままである。同図（Ｄ）に示すように、駆動信号Ｄｒは、後述するように、全期間中Ｈｉｇｈレベルのままとなる。したがって、図１のトランジスタＴＲがオン状態となるので、減流抵抗器Ｒは短絡されて通常の消耗電極アーク溶接電源と同一の状態となる。
【００５７】
同図（Ｂ）に示すように、第１溶接電圧検出信号Ｖd1は、第１溶接電流Ｉw1がピーク値となる時刻ｔ１２あたりから上昇する。これは、溶滴にくびれが次第に形成されるためである。時刻ｔ１２からの期間がくびれを検出する期間となる。このくびれを検出する期間においては、同図（Ａ）に示すように、第１溶接電流Ｉw1はピーク値で略一定値である。しかし、同図（Ｈ）に示すように、第２溶接電流Ｉw2は時刻ｔ１３において第２溶接ワイヤ１２のくびれが検出されたために電流は急減している。この結果、上述した（１１）式において、Ｌ・ｄＩｇ／ｄｔ＝ｄＩw1／ｄｔ＋ｄＩw2／ｄｔについては、ｄＩw1／ｄｔは小さな値であり、ｄＩw2／ｄｔは負の大きな値となる。このために、同図（Ｂ）に示すように、第１溶接電圧検出信号Ｖd1は、くびれの形成に伴って時刻ｔ１２から次第に上昇し、時刻ｔ１３において第２溶接電流Ｉw2の急減に伴って減少に転じ、第２溶接電流Ｉw2の急減が終了して低レベル電流値Ｉｌになると再び上昇する。この第１溶接電圧検出信号Ｖd1が減少に転じ再上昇する前の時刻ｔ１４において、同図（Ｇ）に示すように、くびれ検出禁止信号ＳｔがＨｉｇｈレベルに変化して、くびれの検出を禁止する。これは、図１のくびれ検出禁止回路ＳＴにおいて、上述した１）又は２）の処理によって溶滴の抵抗値が減少したことを判別したためである。ここで、溶滴の抵抗値は、短絡期間が進行するのに伴い次第に増加するので、減少することはない。これにも関わらず、溶滴の抵抗値が減少するのは、第２溶接電流Ｉw2の急減によって共通通電路のインダクタンス値Ｌに電圧が発生して、ノイズとして第１溶接電圧検出信号Ｖd1に重畳するからである。換言すれば、短絡期間中に溶滴の抵抗値が減少したときは、第２溶接電流Ｉw2が急減したときであると判別することができる。同図（Ｂ）に示すように、第１溶接電圧検出信号Ｖd1は、時刻ｔ１４の少し後から急上昇して、微分値がくびれ検出基準値信号Ｖtnの値に達するが、くびれの検出は禁止されているので、同図（Ｃ）に示すように、くびれ検出信号ＮｄはＨｉｇｈレベル（くびれの検出）にはならない。このために、同図（Ａ）に示すように、第１溶接電流Ｉw1はピーク値のままである。
【００５８】
（２）時刻ｔ３のアーク再発生時点から時刻ｔ４の遅延期間Ｔｄの終了時点までの動作
時刻ｔ３において第１アーク３１が再発生すると、同図（Ｂ）に示すように、第１溶接電圧検出信号Ｖd1の値は短絡／アーク判別値Ｖta以上となる。これに応動して、同図（Ｆ）に示すように、電流制御設定信号Ｉcrの値は、ピーク設定値の値から予め定めたアーク時傾斜で上昇し、上記の高レベル電流設定値に達するとその値を維持する。同図（Ｅ）に示すように、遅延信号Ｔdsは、時刻ｔ３にアークが再発生してから予め定めた遅延期間Ｔｄが経過する時刻ｔ４までＨｉｇｈレベルのままである。したがって、溶接電源は時刻ｔ４まで定電流制御されているので、同図（Ａ）に示すように、第１溶接電流Ｉw1は、時刻ｔ３のピーク値からアーク時傾斜で上昇し、高レベル電流値に達するとその値を時刻ｔ４まで維持する。同図（Ｂ）に示すように、第１溶接電圧検出信号Ｖd1は、時刻ｔ３〜ｔ４の遅延期間Ｔｄ中は高レベル電圧値の状態にある。同図（Ｃ）に示すように、くびれ検出信号Ｎｄは、時刻ｔ３にアークが再発生するので、Ｌｏｗレベルに変化する。このように、くびれ検出が禁止されるので、第１アーク３１が再発生した時点の電流値はピーク値となり大きな値となる。このために、くびれ検出制御が正常に行われたときよりも少しスパッタが増えることになる。しかし、図７で上述したように、くびれ検出制御が誤動作したときに比べれば、スパッタの増加は少ない。
【００５９】
（３）時刻ｔ４の遅延期間Ｔｄ終了時点から時刻ｔ５の次の短絡発生までのアーク期間の動作
同図（Ｅ）に示すように、遅延信号ＴdsがＬｏｗレベルに変化する。この結果、溶接電源は定電流制御から定電圧制御へと切り換えられる。このために、同図（Ａ）に示すように、第１溶接電流Ｉw1は高レベル電流値から次第に減少する。同様に、同図（Ｂ）に示すように、第１溶接電圧検出信号Ｖd1は高レベル電圧値から次第に減少する。
【００６０】
図２は、互いの短絡期間が重なっている場合であるが、重なっていない場合は図６のようになる。この場合の各信号のタイミングチャートは、後述する図４において、時刻ｔ１３〜ｔ２の期間を削除したものになる。この場合は、くびれの誤検出は発生しないので、従来技術のままである。
【００６１】
上述した実施の形態１によれば、短絡状態中に溶滴の抵抗値が減少したことを判別したときは、くびれの検出を禁止する。これにより、溶滴の抵抗値の減少を判別することによって、他の溶接電源からくびれ検出に伴う溶接電流の急減タイミングを通知することなくタイミングを判別することができるので、くびれの誤検出を防止することができる。このために、実施の形態１では、複数の溶接電源によって共通のワークに各々アークを発生させて溶接し、これらの溶接電源の内の少なくとも２台はくびれ検出制御機能を有しており、溶接電源によるくびれ検出制御に伴う溶接電流の急減タイミングを互いに通知しなくても、くびれ検出が誤動作することなく正常に動作することができる溶接電源のくびれ検出制御方法を提供することができる。
【００６２】
［実施の形態２］
実施の形態１の発明では、短絡状態中に溶滴の抵抗値が減少したことを判別すると、くびれの検出をアークが再発生するまで禁止している。これに対して、実施の形態２の発明では、くびれの禁止を所定期間行う点が異なっている。
【００６３】
実施の形態２に係る溶接装置の構成は、上述した図５と同一であるので、説明は繰り返さない。
【００６４】
図３は、実施の形態２に係る第１溶接電源ＰＳ１の詳細ブロック図である。同図は上述した図１と対応しており、同一のブロックには同一符号を付して、それらの説明は繰り返さない。同図は、図１のくびれ検出禁止回路ＳＴを第２くびれ検出禁止回路ＳＴ２に置換したものである。以下、同図を参照してこのブロックについて説明する。
【００６５】
第２くびれ検出禁止回路ＳＴ２は、第１溶接電流検出信号Ｉd1、第１溶接電圧検出信号Ｖd1及び短絡判別信号Ｓｄを入力として、下記の１）又は２）の処理によって溶滴の抵抗値が減少したことを判別して、くびれ検出禁止信号Ｓｔを出力する。
１）  短絡判別信号ＳｄがＨｉｇｈレベル（短絡）である期間中に、第１溶接電圧検出信号Ｖd1を第１溶接電流検出信号Ｉd1で除算して溶滴の抵抗値を算出する。算出された抵抗値の微分を行い、この抵抗値の微分値が予め定めた負の値の減少基準値未満に達したときはくびれ検出禁止信号ＳｔをＨｉｇｈレベルにセットし、それから予め定めた禁止期間が経過したらＬｏｗレベルにリセットする。禁止期間が経過する前に短絡判別信号ＳｄがＬｏｗレベル（アーク）になったときは、その時点でくびれ検出禁止信号ＳｔをＬｏｗレベルにリセットする。
２）  短絡判別信号ＳｄがＨｉｇｈレベル（短絡）である期間中に、第１溶接電流検出信号Ｉd1が減少していないときに、第１溶接電圧検出信号Ｖd1の微分値が予め定めた負の値の減少基準値未満に達したときはくびれ検出禁止信号ＳｔをＨｉｇｈレベルにセットし、それから予め定めた禁止期間が経過したらＬｏｗレベルにリセットする。禁止期間が経過する前に短絡判別信号ＳｄがＬｏｗレベル（アーク）になったときは、その時点でくびれ検出禁止信号ＳｔをＬｏｗレベルにリセットする。
【００６６】
上記の禁止期間の設定方法及びアーク再発生までではなく禁止期間だけくびれ検出を禁止することの意味については、図４で詳述する。
【００６７】
図４は、図３の第１溶接電源ＰＳ１における各信号のタイミングチャートである。同図（Ａ）は第１溶接電流Ｉw1の時間変化を示し、同図（Ｂ）は第１溶接電圧検出信号Ｖd1の時間変化を示し、同図（Ｃ）はくびれ検出信号Ｎｄの時間変化を示し、同図（Ｄ）は駆動信号Ｄｒの時間変化を示し、同図（Ｅ）は遅延信号Ｔdsの時間変化を示し、同図（Ｆ）は電流制御設定信号Ｉcrの時間変化を示し、同図（Ｇ）はくびれ検出禁止信号Ｓｔの時間変化を示し、同図（Ｈ）は第２溶接電流Ｉw2の時間変化を示す。同図は上述した図２と対応しており、時刻ｔ１２〜ｔ３の期間の動作以外は同一であるので、説明は繰り返さない。以下、同図を参照して異なる期間の動作について説明する。
【００６８】
（１）時刻ｔ１２のピーク値の状態からｔ２のくびれ検出時点までの動作
同図（Ｂ）に示すように、第１溶接電圧検出信号Ｖd1は、くびれの形成に伴って時刻ｔ１２から次第に上昇し、時刻ｔ１３において第２溶接電流Ｉw2の急減に伴って減少に転じ、第２溶接電流Ｉw2の急減が終了して低レベル電流値Ｉｌになると再び上昇する。この第１溶接電圧検出信号Ｖd1が減少に転じ再上昇する前の時刻ｔ１４において、同図（Ｇ）に示すように、くびれ検出禁止信号ＳｔがＨｉｇｈレベルに変化して、くびれの検出を禁止する。これは、図３の第２くびれ検出禁止回路ＳＴ２において、上述した１）又は２）の処理によって溶滴の抵抗値が減少したことを判別したためである。同図（Ｂ）に示すように、第１溶接電圧検出信号Ｖd1は、時刻ｔ１４の少し後から急上昇して、微分値がくびれ検出基準値信号Ｖtnの値に達するが、くびれの検出は禁止されているので、同図（Ｃ）に示すように、くびれ検出信号ＮｄはＨｉｇｈレベル（くびれの検出）にはならない。このために、同図（Ａ）に示すように、第１溶接電流Ｉw1はピーク値のままである。
【００６９】
同図（Ｂ）に示すように、第１溶接電圧検出信号Ｖd1は、減少して上昇した後に、時刻ｔ１５において略元の値に戻る。この時刻ｔ１５において、同図（Ｇ）に示すように、くびれ検出禁止信号ＳｔはＬｏｗレベル（くびれ検出の許可）にリセットされる。時刻ｔ１４〜ｔ１５の期間が、予め定めた禁止期間となる。したがって、この禁止期間は、他の溶接電源のくびれ検出に伴う溶接電流の急減によって第１溶接電圧検出信号Ｖd1が減少し上昇して元の値に戻るまでの期間に基づいて設定される。これは、この期間がくびれの誤検出を生じる期間であるためである。この禁止期間は、１００〜３００μｓ程度に設定される。そして、時刻ｔ１５の後から、同図（Ｂ）に示すように、第１溶接電圧検出信号Ｖd1は溶滴のくびれの形成が進行するために上昇する。
【００７０】
（２）時刻ｔ２のくびれ検出時点から時刻ｔ３のアーク再発生時点までの動作
時刻ｔ２において、同図（Ｂ）に示すように、第１溶接電圧検出信号Ｖd1が急上昇し、その微分値が予め定めたくびれ検出基準値Ｖtnに達したことによってくびれを検出すると、同図（Ｃ）に示すように、くびれ検出信号ＮｄはＨｉｇｈレベルに変化する。この時点では、同図（Ｇ）に示すように、くびれ検出禁止信号Ｓｔは既にＬｏｗレベルになっており、くびれ検出は禁止されていない状態にある。これに応動して、同図（Ｄ）に示すように、駆動信号ＤｒはＬｏｗレベルになるので、図３のトランジスタＴＲはオフ状態となり減流抵抗器Ｒが通電路に挿入される。同時に、同図（Ｆ）に示すように、電流制御設定信号Ｉcrは低レベル電流設定信号Ｉlrの値へと小さくなる。このために、同図（Ａ）に示すように、第１溶接電流Ｉw1はピーク値から低レベル電流値Ｉｌへと急減する。そして、時刻ｔ２１において第１溶接電流Ｉw1が低レベル電流値Ｉｌまで減少すると、同図（Ｄ）に示すように、駆動信号ＤｒはＨｉｇｈレベルに戻るので、図３のトランジスタＴＲはオン状態となり減流抵抗器Ｒは短絡される。同図（Ａ）に示すように、第１溶接電流Ｉw1は、電流制御設定信号Ｉcrが低レベル電流設定信号Ｉlrのままであるので、時刻ｔ３のアーク再発生までは低レベル電流値Ｉｌを維持する。したがって、トランジスタＴＲは、時刻ｔ２にくびれが検出されてから時刻ｔ２１に第１溶接電流Ｉw1が低レベル電流値Ｉｌに減少するまでの期間のみオフ状態となる。同図（Ｂ）に示すように、第１溶接電圧検出信号Ｖd1は、第１溶接電流Ｉw1が小さくなるので時刻ｔ２から一旦減少した後に急上昇する。
【００７１】
図４は、互いの短絡期間が重なっている場合であるが、重なっていない場合は図６のようになる。この場合の各信号のタイミングチャートは、図４において、時刻ｔ１３〜ｔ２の期間を削除したものになる。この場合は、くびれの誤検出は発生しないので、従来技術のままである。
【００７２】
上述した実施の形態２によれば、短絡状態中に溶滴の抵抗値が減少したことを判別して、くびれの検出を所定期間（禁止期間）だけ禁止する。これにより、実施の形態２では、実施の形態１の効果に加えて、必要最小限の期間中のみくびれ検出を禁止するので、本来のくびれを正確に検出することができる。実施の形態１では、くびれ検出を禁止すると、その短絡期間中はくびれを検出することができないために、大きな電流値のピーク値でアークが再発生することになり、スパッタが増加していた。これに対して、実施の形態２では、くびれ検出を禁止しても、その後でくびれを正確に検出することができるので、スパッタを少なくすることができる。
【符号の説明】
【００７３】
１１            第１溶接ワイヤ
１２            第２溶接ワイヤ
２            ワーク
３１            第１アーク
３２            第２アーク
４１            第１溶接トーチ
４２            第２溶接トーチ
５            治具
６１            第１給電チップ
６２            第２給電チップ
ＣＭ            電流比較回路
Ｃｍ            電流比較信号
ＤＲ            駆動回路
Ｄｒ            駆動信号
Ｅａ            誤差増幅信号
ＥＩ            電流誤差増幅回路
Ｅｉ            電流誤差増幅信号
ＥＶ            電圧誤差増幅回路
Ｅｖ            電圧誤差増幅信号
ＦＣ１            第１送給制御回路
Ｆc1            第１送給制御信号
Ｆc2            第２送給制御信号
ＦＤ１            第１送給機
ＦＤ２            第２送給機
ＦＲ            送給速度設定回路
Ｆｒ            送給速度設定信号
ＩＣＲ            電流制御設定回路
Ｉcr            電流制御設定信号
ＩＤ１            第１溶接電流検出回路
Ｉd1            第１溶接電流検出信号
Ｉｇ            合算溶接電流
Ｉｌ            低レベル電流値
ＩＬＲ            低レベル電流設定回路
Ｉlr            低レベル電流設定信号
Ｉw1            第１溶接電流
Ｉw2            第２溶接電流
Ｌ            共通通電路のインダクタンス値
ＮＤ            くびれ検出回路
Ｎｄ            くびれ検出信号
ＰＭ            電源主回路
ＰＳ１            第１溶接電源
ＰＳ２            第２溶接電源
Ｒ            減流抵抗器
ＳＤ            短絡判別回路
Ｓｄ            短絡判別信号
ＳＴ            くびれ検出禁止回路
Ｓｔ            くびれ検出禁止信号
ＳＴ２            第２くびれ検出禁止回路
ＳＷ            制御切換回路
Ｔｄ            遅延期間
ＴＤＳ            オフディレイ回路
Ｔds            遅延信号
ＴＲ            トランジスタ
ＶＤ１            第１溶接電圧検出回路
Ｖd1            第１溶接電圧検出信号
ＶＤ２            第２溶接電圧検出回路
Ｖd2            第２溶接電圧検出信号
ＶＲ            電圧設定回路
Ｖｒ            電圧設定信号
Ｖta            短絡／アーク判別値
ＶＴＮ            くびれ検出基準値設定回路
Ｖtn            くびれ検出基準値（信号）
Ｖw1            第１溶接電圧
Ｖw2            第２溶接電圧
【図１】
2015000402.tif 000003
【図２】
2015000402.tif 000004
【図３】
2015000402.tif 000005
【図４】
2015000402.tif 000006
【図５】
2015000402.tif 000007
【図６】
2015000402.tif 000008
【図７】
2015000402.tif 000009